(57)【要約】【課題】バナー画像をスクロール表示させるだけであり、広告画像のみによってユーザの着目を維持し、広告閲覧を誘引するに足るコンテンツを作成することが必ずしも容易とはいえないという問題がある。また、スクロール表示されるだけでは、現に表示されていないコンテンツは読み飛ばされてしまう可能性があり、広告効果が低くなるという問題がある。【解決手段】本発明により、ユーザ端末の画面上にスクロール表示される複数の第１画像と、前記複数の第１画像に対応する複数の第２画像を受信し、前記ユーザ端末の操作情報を検出し、前記操作情報に基づき、前記複数の第１画像をスクロール表示させ、又は、前記複数の第１画像のうち選択された画像に対応する前記第２画像を前記選択された画像の表示位置に一部を表示させる画像表示方法が提供される。【選択図】図６
2017027276.tif 000002
【特許請求の範囲】
【請求項１】
ユーザ端末の画面上にスクロール表示される複数の第１画像と、前記複数の第１画像に対応する複数の第２画像を受信し、
前記ユーザ端末の操作情報を検出し、
前記操作情報に基づき、前記複数の第１画像をスクロール表示させ、又は、
前記複数の第１画像のうち選択された画像に対応する前記第２画像を前記選択された画像の表示位置に一部を表示させる画像表示方法。
【請求項２】
前記操作情報が、前記第１画像の角付近から前記第１画像の中心方向へのドラッグ又はスワイプを含む場合に、前記第２画像の一部を表示させる、請求項１に記載の画像表示方法。
【請求項３】
前記表示させることは、前記第２画像の表示面積が、前記第１画像の表示面積の減少に応じて増加していくことである請求項２に記載の画像表示方法。
【請求項４】
前記複数の第１画像と前記複数の第２画像とは、前記スクロールとは異なる、更に別の方向によるスクロール表示により表示される請求項３に記載の画像表示方法。
【請求項５】
前記操作情報が、前記第１画像の所定の位置を選択する場合に、
前記第２画像の一部又は全体を表示させる、請求項１に記載の画像表示方法。
【請求項６】
前記操作情報が、前記第１画像上で少なくとも２点の接触を検出し、前記２点が互いに近接する方向への移動である場合に、前記第２画像の一部又は全体を表示させる、請求項１に記載の画像表示方法。
【請求項７】
前記操作情報が、前記第１画像上で、少なくとも２点の接触を検出し、前記２点が互いに離隔する方向への移動である場合に、前記第２画像の一部又は全体を表示させる、請求項１に記載の画像表示方法。
【請求項８】
前記第２画像の表示位置に第３画像を表示させる、請求項１に記載の画像表示方法。
【請求項９】
前記第３画像を、前記第２画像が表示された一定時間経過後に表示させる、請求項８に記載の画像表示方法。
【請求項１０】
前記第３画像を、前記第２画像がはじめに表示される位置に応じて表示位置を変更させる、請求項８に記載の画像表示方法。
【請求項１１】
前記第３画像を、前記第２画像の所定の位置に表示させる、請求項８に記載の画像表示方法。
【請求項１２】
コンピュータに請求項１乃至１１の何れか一項に記載の方法を実行させるためのコンピュータプログラム。
【発明の詳細な説明】
【技術分野】
【０００１】
本発明は画像表示方法及びその方法を実行させるプログラムに関する。より詳細には、端末における画像表示方法及びその方法を実行させるプログラムに関する。
【背景技術】
【０００２】
例えばＳＮＳ（ソーシャルネットワークサービス）においては、タイムラインが表示されるものが主流である。ここで、タイムラインとは、基本的には、ユーザの投稿を時系列に並べて表示したものである。このタイムラインには、ユーザの投稿とユーザの投稿との間に広告欄が挿入されることがある。
【０００３】
広告欄には複数の広告主の広告（バナー画像）が表示されており、左右にスクロール表示される。バナー画像は広告主の提供する広告サイトのリンクが張られており、ユーザはバナー画像をクリックすることによって広告サイトを閲覧する。
【０００４】
特許文献１には、画像情報を一画面ずつ表示する画像表示装置にあって、タッチパネルにタッチする指の動きにて、その画面をめくることができる発明が記載されている。特許文献２には、操作入力部がフリック操作を受け付け、速度設定部がフリックに対応する速度を設定し、スクロール速度の初期速度として動作し、初期加速に応じてスクロール速度を減速させる発明が記載されている。特許文献３には、抽出された前記内容データを、取得された前記タグ構造に基づき、前記書籍の形式で表示しかつページめくり操作を受け付けるための予め定められたタグ及びそのタグ構造を持つ第２のＷｅｂデータに変換する変換手段と、変換された前記第２のＷｅｂデータを出力する出力手段と、を備えた情報処理装置が記載されている。しかし、いずれの発明も、ユーザの広告閲覧を誘引するにはまだ十分であるとはいえない。そこで、十分にユーザの興味を引き、広告閲覧させることのできる画像表示方法が期待されている。
【先行技術文献】
【特許文献】
【０００５】
【特許文献１】特開平８−７６９２６号公報
【特許文献２】米国特許２０１４／０１８１７３３号明細書
【特許文献３】特開２０１３−２１４２５０号公報
【発明の概要】
【発明が解決しようとする課題】
【０００６】
先行技術は、バナー画像をスクロール表示させるだけであり、広告画像のみによってユーザの着目を維持し、広告閲覧を誘引するに足るコンテンツを作成することが必ずしも容易とはいえないという問題がある。また、スクロール表示されるだけでは、現に表示されていないコンテンツは読み飛ばされてしまう可能性があり、広告効果が低くなるという問題がある。
【０００７】
このような問題に鑑み本発明は、スクロール表示された広告画像を「めくって」次の画像を表示させることが可能となる画像表示方法と、その方法を実行するプログラムを提供する。
【課題を解決するための手段】
【０００８】
本発明の一実施形態によれば、ユーザ端末の画面上にスクロール表示される複数の第１画像と、前記複数の第１画像に対応する複数の第２画像を受信し、前記ユーザ端末の操作情報を検出し、前記操作情報に基づき、前記複数の第１画像をスクロール表示させるか、前記複数の第１画像のうち選択された画像に対応する前記第２画像を、前記選択された画像の表示位置に一部を表示させることを特徴とする、画像表示方法が提供される。
【０００９】
本発明の一実施形態において、前記画面はタッチパネルであり、前記操作情報が、前記第１画像の角付近から前記第１画像の中心方向へのドラッグ又はスワイプを含む場合に、前記第２画像の一部を表示させてもよい。
【００１０】
本発明の一実施形態において、前記表示させることは、前記第２画像の表示面積が、前記第１画像の表示面積の減少に応じて増加していくことであってもよい。
【００１１】
本発明の一実施形態において、前記複数の第１画像と、前記複数の第２画像は、前記スクロールとは異なる、更に別の方向によるスクロール表示により表示されてもよい。
【００１２】
本発明の一実施形態において、前記画面はタッチパネルであり、前記操作情報が、前記第１画像の所定の位置を選択する場合、前記第２画像の一部又は全体を表示させてもよい。
【００１３】
本発明の一実施形態において、前記画面はタッチパネルであり、前記操作情報が、前記第１画像上で少なくとも２点の接触を検出し、前記２点が互いに近接する方向への移動である場合に、前記第２画像の一部又は全体を表示させてもよい。
【００１４】
本発明の一実施形態において、前記画面はタッチパネルであり、前記操作情報が、前記第１画像上で、少なくとも２点の接触を検出し、前記２点が互いに離隔する方向への移動である場合に、前記第２画像の一部又は全体を表示させてもよい。
【００１５】
本発明の一実施形態において、前記第２画像の表示位置に第３画像を表示させてもよい。
【００１６】
本発明の一実施形態において、前記第３画像は、前記第２画像が表示された一定時間経過後に表示されてもよい。
【００１７】
本発明の一実施形態において、前記第３画像は、前記第２画像がはじめに表示される位置に応じて表示位置を変更してもよい。
【００１８】
本発明の一実施形態において、前記第３画像を、前記第２画像の所定の位置に表示させてもよい。
【００１９】
本発明の一実施形態によれば、コンピュータに上記画像表示方法を実行させるためのコンピュータプログラムが提供される。
【発明の効果】
【００２０】
本発明によれば、スクロール表示された広告画像を「めくって」次の画像を表示させることが可能となる。画像を「めくる」ユーザの操作を介在して複数の広告画像を提供できるので、ユーザの遊び心や好奇心を刺激する広告コンテンツを提供することが可能となり、広告効果を向上させることができる。また、ＳＮＳ事業者が提供する各種クーポンの「あたり」リンク画像をめくった後の画像にランダムに挿入しておくことによって、ユーザが広告画像を「めくる」動機を促すことも可能となる。また、発展形として、画像を「めくる」位置に応じて次に表示される画像を変更可能とすることによって、よりユーザの興味を引く広告コンテンツを提供することも可能となる。
【図面の簡単な説明】
【００２１】
【図１】本発明の一実施形態に係るサーバと端末との関係を示す図である。
【図２】本発明の一実施形態に係る画像表示方法を示す図である。
【図３】本発明の一実施形態に係る画像表示方法を示す図である。
【図４】本発明の一実施形態に係る画像表示方法を示す図である。
【図５】本発明の一実施形態に係る画像表示方法を示す図である。
【図６】本発明の一実施形態に係る画像表示方法を示す図である。
【図７】本発明の一実施形態に係る画像表示方法を示す図である。
【図８】本発明の一実施形態に係る画像表示方法を示すフローチャートである。
【発明を実施するための形態】
【００２２】
以下、本発明の実施の形態を、図面等を参照しながら説明する。但し、本発明は多くの異なる態様で実施することが可能であり、以下に例示する実施の形態の記載内容に限定して解釈されるものではない。たとえば、本明細書には画像表示の例が静止画として挙げられているが、画像は静止画に限られず、たとえば徐々に背景色等が変化するＧＩＦ画像などでもよい。本明細書と各図において、既出の図に関して前述したものと同様の要素には、同一の符号を付して、詳細な説明を適宜省略することがある。また、以下では、本発明をより明確に説明するために画像表示方法と、プログラムとシステムと、サーバの構成とをあわせて、処理の流れに沿って一括で説明する。
【００２３】
（実施形態１）
図１は、本発明の一実施形態にかかる画像表示方法を示す図面である。ユーザ端末１００は、サーバ１０からのデータを受信して画像を表示する。ユーザ端末１００としては、インターネットに接続してサーバ１０からのデータが受信可能なデバイスである。
【００２４】
ユーザ端末１００にはＷＥＢブラウザアプリケーション５、またはＳＮＳアプリケーション５などがインストールされ、これらのアプリケーション５によってインターネットを介してサーバ１０から受信した広告画像データをユーザ端末１００の画面上に表示する（図２）。
【００２５】
サーバ１０には、ユーザ端末１００に画像を表示するための画像データベース２０と、ユーザ端末１００上のアプリケーションからの接続要求に応じるネットワーク接続部３０と、が存在する。画像データベース２０には、ユーザ端末１００に表示させる画像が画像の種類を示すフラグが付されたうえで格納されている。
【００２６】
［画像データベース２０］
画像データベース２０には画像の種類を表すフラグが付され、保存されている。本実施形態では、画像の種類としては、第１画像１が最上面に位置する広告画像、第２画像２がはずれ画像、第３画像３があたり画像である。もっとも、第２画像２は、たとえば広告画像であってもよい。本実施形態とは異なり、第１画像１を広告画像、第２画像２を広告画像、第３画像３をあたり画像とすることもできるし、第３画像３であるあたり画像を設けないという形態もありうる。もっとも、本実施形態では、ユーザに対してあたりはずれという射幸心をくすぐる方法で画像を提供することで、より魅力的な画像表示方法を提供することが可能となっている。
【００２７】
図４に、画像データベースのテーブル４０を示す。
【００２８】
テーブルには画像ＩＤ４４０〜４４３までの４枚について記録されている。画像ＩＤ４４０で特定される画像は、フラグとして「第１」が記載されている。したがって、第１画像１である。そして、ファイル形式の箇所にＪＰＥＧが記載されているから、同画像のファイル形式はＪＰＥＧ形式である。同画像の保存日は平成２６年１２月１４日であり、有効期限は平成２７年４月１０日とある。
【００２９】
サーバ１０の画像選択部２５は、画像データベースから、有効期限以内の画像を、所定のアルゴリズムで選択する。所定のアルゴリズムとは、例えば、ユーザの興味がある情報分野を設定し、この分野の出現頻度を高くしたり、期限日が近いものの出現頻度を高くしたりすることができる。また、ユーザの属性や活動に基づいて関連するものの出現頻度を高くしたりすることもできる。ただし、これらに限定されることはなく、例えば画像が広告枠として設定されている場合は広告費用に応じて表示回数や割合、確率などを振り分けてもよい。また、時間帯によって表示させる画像のカテゴリを変化させてもよい。検索された画像は、端末１００のアプリケーション５によって端末１００の画面上に表示される。
【００３０】
広告画像は、公知の画像形式でよく、たとえばＪＰＥＧ、ＧＩＦ画像などでもよい。そして画像と規定しているが、本発明の思想はこれに限定されるものではなく、静止画が一定の連続性をもって集合する動画も、本件発明の画像に包含される。
【００３１】
広告画像は、画像の角（隅部）に「ここをめくってね」等の、操作方法を示すコメントのテキストデータを含んでもよい。このようなテキストデータを有することで、操作方法が分からないユーザに対しても「ここをめくるとどうなるのか」という好奇心を与えることが可能となるし、ユーザが説明を受けなくとも本件発明の画像表示方法を操作することが可能となる。また、操作方法を示すコメントが付された画像であることから、該画像を注視する時間を増加させることができ、広告効果の向上という効果も奏する。
【００３２】
あたり画像としては、たとえば「当選しました」「おめでとうございます」「１００ポイントゲット」といった文字が記載されている画像があげられるが、これに限定されるものではなく、たとえばユーザ端末上で「おめでとうございます」といった音声が再生されるようになっている画像データでも良い。
【００３３】
第３画像３は第２画像２とは異なり、あたり画像である。あたり画像は、めくられる箇所と反対側にあたりであることが分かる表示となっている画像であることが望ましい。たとえば、サーバ１０から、端末１００に対して、第２画像２として、右上にあたり表示のある画像、右下にあたり表示のある画像、左上にあたり表示のある画像、左下にあたり画像のある画像を送信する。端末１００において、右下からスワイプされた場合左上にあたり表示のある画像を第２画像２として端末に表示し、最後までスワイプしなければあたりか否かが分からないようにする。このようにすることによって、最後までめくる動機づけが生じ、より効果的に広告画像を視認させる。
【００３４】
第１画像１である広告画像と、第２画像２であるはずれ画像及び第３画像３であるあたり画像とは、タイムライン自体のスクロールとは異なる向きのスクロールによって表示されるようにしてもよい。すなわち、図３に示すように、縦横のスクロールを区別して、異なる動作として認識するようにすることができる。たとえば、タイムライン自体は縦方向にスクロールすることによって、現在から過去、過去から現在の時系列を変化させて表示させることができるようにしておき、あるタイムラインの中の各第１画像１をスクロールするには横方向にスクロールすることによって表示させるようにしてもよい。この場合には、斜め方向のスワイプ操作を、めくり動作であると認識させ、縦横方向のスワイプ操作をスクロール動作であると認識させるようにすることで、めくり動作とスクロール動作とを両立させることができる。
【００３５】
［ユーザ端末１００］
ユーザ端末１００としては、図面では携帯電話を表示しているが、端末には特に限定はなく、通信機能を有する電子機器であればよい。例えば、携帯電話、スマートフォン、タブレット型端末、ＰＤＡ（Ｐｅｒｓｏｎａｌ Ｄｉｇｉｔａｌ Ａｓｓｉｓｔａｎｔｓ）、パーソナルコンピュータ、ウェアラブル端末（腕時計型ウェアラブル端末、眼鏡型ウェアラブル端末等）、テレビなどが含まれる。端末に必須な要件は、表示装置と操作手段と通信手段が搭載されていることである。
【００３６】
本実施形態ではユーザ端末１００はスマートフォンであり、操作手段としてタッチパネル１１０が搭載されている。しかし、タッチパネル１１０に限定されず、キーボードによる操作手段が搭載されていても良いし、ユーザ端末の傾きを検知する加速度センサ、ユーザの声によって操作を可能とする音声操作装置が搭載されていても良い。
【００３７】
本実施形態では、このようなユーザ端末の操作手段に入力された操作情報に基づいて、第１画像１をスクロール表示させる。また、本実施形態では、ユーザ端末の操作情報を検出し、操作情報に基づいて、複数の第１画像１のうち選択された画像に対応する第２画像２を、選択された画像の表示位置に一部を表示させる。
【００３８】
このとき、スクロールの方法によって、画像の表示方法が変化するように設定してもよい。たとえば、第１画像１である広告画像の角（隅部）１０３付近から中心１０５方向へのドラッグ又はスワイプ（この２つを合わせてめくり動作とも称する）を含む場合に、はずれ画像またはあたり画像の一部を表示させるようにしてもよい。なお、本明細書において、角や隅といった語は、特別に例外を定めない限り原則として一定の面積を有する領域をいい、たとえば、図６において網掛けで示した領域である１０３程度の範囲をいう。
【００３９】
このとき、あたり画像の一部を表示させるというのは、第３画像３であるあたり画像は、第１画像１の表示面積の減少に応じて表示面積が増加するように表示させても良い。このとき、表示面積の増減は連続的に変化させることによって、ユーザが自らの操作によって画像の表示面積を変化させていることを認識でき、より主体的、直感的操作が可能となる。また、主体的操作が可能となることで、ユーザが興味を持って広告画像を選択することができるようになる。
【００４０】
このとき、Ｓｔを画像表示領域の面積であり一定の値であるとして、第１画像１の面積Ｓ１と、第２画像２の面積Ｓ２とは、Ｓ１＋Ｓ２＝Ｓｔの関係を満たすようにしてもよい（図５）。
【００４１】
（実施形態２）
また、本実施形態では、ユーザによる操作の認識は、ユーザによる２カ所以上のタッチを検知する方法によっても良い。ある画像の２つの端点をつまむように動作（ピンチ  イン）させることで、当該画像を小さく表示させるように変化させ、その画像の下に別の画像が存在するように第２画像２を表示させてもよい（図７）。
【００４２】
（実施形態３）
また、ユーザによる２カ所以上のタッチを検知して画像を表示する方法としては、ある画像の２つの端点を広げるように動作（ピンチ  アウト）させることで、当該画像が２点の中間で破けるように表示させ、その破れ目から別の画像である第２画像２が下に存在するように表示させることも可能である。
【００４３】
ピンチイン、ピンチアウト等のユーザの直観的、主体的な動作によって画像が表示されることによって、ユーザの遊び心や好奇心を刺激することが可能である。
【００４４】
（実施形態４）
第３画像３であるあたり画像は、第２画像２であるはずれ画像が表示された一定時間経過後に表示されてもよい。たとえば、第２画像２が表示された１秒後等に第３画像３が表示されるようにすると、ユーザは第２画像２が第３画像３に切り替わるかどうかを期待して画面を注視しうるから、ユーザに対して第２画像２を１秒間視認させることを強制可能である。
【００４５】
第３画像３であるあたり画像は、第２画像２であるはずれ画像がはじめに表示される位置に応じて表示位置を変更するようにしてもよい。
【００４６】
本発明によれば、スクロール表示された広告画像を「めくって」次の画像を表示させることが可能となる。画像を「めくる」ユーザの操作を介在して複数の広告画像を提供できるので、ユーザの遊び心や好奇心を刺激する広告コンテンツを提供することが可能となり、広告効果を向上させることができる。また、ＳＮＳ事業者が提供する各種クーポンの「あたり」リンク画像をめくった後の画像にランダムに挿入しておくことによって、ユーザが広告画像を「めくる」動機を促すことも可能となる。また、発展形として、画像を「めくる」位置に応じて次に表示される画像を変更可能とすることによって、よりユーザの興味を引く広告コンテンツを提供することも可能となる。
【００４７】
（データフローチャート）
本発明の第１実施形態から第４実施形態に係るデータフローを図８に示す。まず、ユーザの操作により、端末１００上で、本明細書ですでに述べたアプリケーション５が起動する。アプリケーション５は、サーバ１０に対して、所定の位置にスクロール表示される画像をサーバに対して要求する指令を送信する。サーバ１０のネットワーク接続部３０はこの指令を受信し、端末１００の画面上にスクロール表示する画像を選択するよう画像選択部２５に指令を送信する。このとき、ネットワーク接続部３０は、端末からユーザに関する情報を取得してもよい。画像選択部２５は、画像データベース２０から、所定のアルゴリズムで画像（第１画像及び／又は第２画像及び／又は第３画像）を検索し、画像データベース２０から画像選択部２５に検索結果（たとえば画像ＩＤなど）を送信する。画像選択部２５は、選択された画像を端末に送信する指令を画像データベース２０に送信する。画像データベース２０から送信された第１画像が、アプリケーション５によって端末１００上に表示される。第１画像をユーザがめくり動作することによって、第２画像又は第３画像が本明細書記載の方法によって表示される。
【００４８】
なお、画像データベース２０は、所定のアルゴリズムで検索された表示画像のＩＤを一旦画像選択部に送信するのではなく、検索された画像（第１画像及び／又は第２画像及び／又は第３画像）を端末に送信するようにしてもよい。
【００４９】
また、上記フローでは、第１画像、第２画像、第３画像は、同時に端末に送信される態様で記したが、サーバ１０は、第１画像をまず検索して送信し、その後に第２画像及び／又は第３画像を検索して送信するようにしてもよい。このようにすることで、通信環境が悪い状況においても、まずは第１画像を表示させることができ、第１画像をユーザに視認させることができる。
【符号の説明】
【００５０】
第１画像            １
第２画像            ２
第３画像            ３
アプリケーション    ５
サーバ              １０
画像データベース    ２０
画像選択部          ２５
ネットワーク接続部  ３０
端末                １００
タッチポイント      １０１、１０１Ａ、１０１Ｂ
角（隅部）          １０３
画像中心            １０５
【図１】
2017027276.tif 000003
【図２】
2017027276.tif 000004
【図３】
2017027276.tif 000005
【図４】
2017027276.tif 000006
【図５】
2017027276.tif 000007
【図６】
2017027276.tif 000008
【図７】
2017027276.tif 000009
【図８】
2017027276.tif 000010